(57)【要約】【課題】表示対象物に対する視認性を好適に向上させることが可能な画像表示装置を提供する。【解決手段】画像表示装置６０は、画像閲覧画面上において、個別画像表示欄７４に動画として表示させる時系列の撮影画像に対するスタビライズ処理のオン又はオフを指定するスタビライズ処理指定ボタン８７を設けている。画像表示装置６０は、スタビライズ処理指定ボタン８７がオンとなった状態では、個別画像表示欄７４に動画として表示させる時系列の撮影画像の各々に対し、撮影画像中のウェル１２又は受精卵の位置が撮影画像間でぶれないように、基準画像との撮影範囲のずれ量に基づき、切出して表示する範囲を調整する。【選択図】図４
2019020619.tif 000002
【特許請求の範囲】
【請求項１】
対象物を撮影した撮影画像を取得する取得部と、
前記撮影画像の一部を表示部に表示させる表示制御部と、を備え、
前記表示制御部は、前記撮影画像に表示された撮影範囲のずれ量に基づき、前記撮影画像の表示範囲を決定することを特徴とする画像表示装置。
【請求項２】
前記取得部は、前記対象物を複数時刻で撮影した複数の撮影画像を取得し、
前記表示制御部は、前記撮影画像の各々に対して決定した前記表示範囲の画像を、撮影した時系列により前記表示部に表示させることを特徴とする請求項１に記載の画像表示装置。
【請求項３】
前記取得部は、前記対象物を複数の焦点位置においてそれぞれ複数時刻で撮影した複数の撮影画像を取得し、
前記表示制御部は、外部入力により指定された焦点位置に対応する前記撮影画像の各々に対して決定した前記表示範囲の画像を、撮影した時系列により前記表示部に表示させることを特徴とする請求項１または２に記載の画像表示装置。
【請求項４】
前記表示制御部は、前記表示範囲の決定において基準となる基準画像に対する前記ずれ量を算出し、当該ずれ量に基づき、所定サイズに定められた前記表示範囲の位置を決定することを特徴とする請求項１〜３のいずれか一項に記載の画像表示装置。
【請求項５】
前記対象物は、凹部内に収容されており、
前記取得部は、前記凹部を撮影範囲に含む前記撮影画像を取得することを特徴とする請求項１〜４のいずれか一項に記載の画像表示装置。
【請求項６】
前記表示制御部は、前記撮影画像における前記対象物又は前記対象物が収容される凹部が、前記表示範囲の中央付近に位置するように、前記ずれ量に基づき前記表示範囲を決定することを特徴とする請求項１〜５のいずれか一項に記載の画像表示装置。
【請求項７】
前記表示制御部は、前記表示範囲内における前記対象物の表示位置と重ならない位置に、前記撮影画像に関連する情報又は前記対象物に関連する情報を、前記表示部に表示させることを特徴とする請求項１〜６のいずれか一項に記載の画像表示装置。
【請求項８】
前記取得部は、複数の対象物を対象物ごとに撮影部の位置を変えて繰り返し撮影した画像を、前記撮影画像として取得することを特徴とする請求項１〜７のいずれか一項に記載の画像表示装置。
【請求項９】
前記表示制御部は、前記撮影画像の一部を表示するための表示情報を、前記表示部を有する表示装置に送信することを特徴とする請求項１〜８のいずれか一項に記載の画像表示装置。
【請求項１０】
請求項１〜９のいずれか一項に記載の画像表示装置としてコンピュータを機能させることを特徴とするプログラム。
【請求項１１】
画像表示装置が実行する制御方法であって、
対象物を撮影した撮影画像を取得する取得工程と、
前記撮影画像の一部を表示部に表示させる表示制御工程と、を有し、
前記表示制御工程は、前記撮影画像に表示された撮影範囲のずれ量に基づき、前記撮影画像の表示範囲を決定することを特徴とする制御方法。
【発明の詳細な説明】
【技術分野】
【０００１】
本発明は、受精卵などの対象物の画像を表示する技術に関する。
【背景技術】
【０００２】
不妊治療分野では、治療率や患者のＱＯＬ（Ｑｕａｌｉｔｙ  Ｏｆ  Ｌｉｆｅ）の観点から、胚の着床率を予測し、移植対象の胚を選別することが行われている。従来、胚を非侵襲的に評価する手法として、顕微鏡による形態観察と、その際の形態から発育状況を判定することが行われてきた。
【０００３】
近年、タイムラプス装置の普及により、上記に加えて経時的な変化をも捉えることが可能となっており、大量の画像を用いて、複数の発育予測指標を解析し、発育を予測することも可能となってきた。このような大量の画像を胚培養士が観察し、細胞品質評価をするため、使い勝手の良い画像の閲覧システムが求められている。特許文献１には、複数のウェルが設けられた培養容器の存在を検出した場合に、培養容器の設置方向及びウェルの位置を推定結果に基づいて、占有率が高いウェルを表示する技術が開示されている。
【先行技術文献】
【特許文献】
【０００４】
【特許文献１】特許第６００７１８２号公報
【発明の概要】
【発明が解決しようとする課題】
【０００５】
タイムラプス装置では、通常、１枚の容器には同一患者の受精卵が複数のウェルにそれぞれ収められ、同時に複数枚の容器を収容・観察することが可能である。ここで、胚培養士が受精卵の画像を観察して形態学的に品質を評価する際には、通常、複数枚の容器から特定の患者を選び、さらに、当該容器の中の複数の受精卵の各々に対し、画像を表示させて品質評価をする必要がある。
【０００６】
ここで、受精卵の品質評価の際には、情報量の欠損のない精細な画像を画面上に大きく表示させるのが良く、画面上に大きく１つの受精卵の画像を表示するのが一般的である。この際、多種多様な情報を表示する画面を過大に占有せず、なるべく大きく画像を表示させるため、撮影した画像を切出して表示することがなされてきたが、切出す範囲が狭いほど拡大して表示がさせやすい一方で、切出した画像内から受精卵がフレームアウトしやすいという課題があった。また、タイムラプス観察時のＸＹ位置のずれや、受精卵自体の動きによって時系列での撮影画像内の受精卵等の表示位置がずれる場合、動画再生時に見づらいという課題もあった。
【０００７】
本発明は、表示対象物に対する視認性を好適に向上させることが可能な画像表示装置を提供することを主な目的とする。
【課題を解決するための手段】
【０００８】
本発明の１つの観点では、画像表示装置は、対象物を撮影した撮影画像を取得する取得部と、前記撮影画像の一部を表示部に表示させる表示制御部と、を備え、前記表示制御部は、前記撮影画像に表示された撮影範囲のずれ量に基づき、前記撮影画像の表示範囲を決定する。「撮影画像に表示された撮影範囲のずれ量」とは、所定の基準となる範囲又は位置に対する撮影画像の撮影範囲のずれ量を指す。
【０００９】
上記画像表示装置の一態様では、前記取得部は、前記対象物を複数時刻で撮影した複数の撮影画像を取得し、前記表示制御部は、前記撮影画像の各々に対して決定した前記表示範囲の画像を、撮影した時系列により前記表示部に表示させる。
【００１０】
上記画像表示装置の他の一態様では、前記取得部は、前記対象物を複数の焦点位置においてそれぞれ複数時刻で撮影した複数の撮影画像を取得し、前記表示制御部は、外部入力により指定された焦点位置に対応する前記撮影画像の各々に対して決定した前記表示範囲の画像を、撮影した時系列により前記表示部に表示させる。
【００１１】
上記画像表示装置の他の一態様では、前記表示制御部は、前記表示範囲の決定において基準となる基準画像に対する前記撮影画像のずれ量を算出し、当該ずれ量に基づき、所定サイズとなる前記表示範囲を移動させる。
【００１２】
上記画像表示装置の他の一態様では、前記対象物は、凹部内に収容されており、前記取得部は、前記凹部を撮影範囲に含む前記撮影画像を取得する。
【００１３】
上記画像表示装置の他の一態様では、前記表示制御部は、前記撮影画像における前記対象物又は前記対象物が収容される凹部が、前記表示範囲の中央付近に位置するように、前記ずれ量に基づき前記表示範囲を決定する。ここで、「表示範囲の中央付近に位置する」とは、表示範囲の端（例えば四隅）に偏って存在していないことを指す。
【００１４】
上記画像表示装置の他の一態様では、前記表示制御部は、前記表示範囲内における前記対象物の表示位置と重ならない位置に、前記撮影画像に関連する情報又は前記対象物に関連する情報を、前記表示部に表示させる。
【００１５】
上記画像表示装置の他の一態様では、前記取得部は、複数の対象物を撮影対象となる対象物ごとに撮影部の位置を変えて繰り返し撮影した画像を、前記撮影画像として取得する。
【００１６】
本発明の他の観点では、プログラムは、請求項１〜１２のいずれか一項に記載の画像表示装置としてコンピュータを機能させる。
【００１７】
本発明のさらに別の観点では、画像表示装置が実行する制御方法であって、対象物を撮影した撮影画像を取得する取得工程と、前記撮影画像の一部を表示部に表示させる表示制御工程と、を有し、前記表示制御工程は、前記撮影画像に表示された撮影範囲のずれ量に基づき、前記撮影画像の表示範囲を決定する。
【発明の効果】
【００１８】
本発明に係る画像表示装置によれば、対象物を撮影した撮影画像に表示された撮影範囲のずれ量に基づき、撮影画像の表示範囲を決定することで、対象物が撮影画像から外れてしまうフレームアウトなどを防ぎ、観察性を向上させることができる。また、撮影画像を時系列により表示部に動画として表示させた場合には、動画としてガタつきなく滑らかに表示することができるため、観察性に優れるという効果も奏する。
【図面の簡単な説明】
【００１９】
【図１】実施形態に係る受精卵の画像表示システムの構成を示す。
【図２】培養容器及び受精卵の撮影画像の例を示す。
【図３】受精卵の撮影方法を説明する図である。
【図４】画像閲覧画面の表示例である。
【図５】基準画像を用いたスタビライズ処理の概要を示す。
【図６】Ｚ位置を考慮したスタビライズ処理の第１及び第２の例の概要を示す。
【図７】Ｚ位置を考慮したスタビライズ処理の第３及び第４の例の概要を示す。
【発明を実施するための形態】
【００２０】
以下、本発明の好適な実施形態について説明する。
【００２１】
［システム構成］
図１は、実施形態に係る受精卵の画像表示システムの構成を示す。図示のように、画像表示システム１００は、大別して、１または複数の撮影装置５０と、記憶装置５５と、画像表示装置６０とを備える。
【００２２】
撮影装置５０は、インキュベータ９を有し、インキュベータ９に設けられた図示しないチャンバ（室）に載置された培養容器１０内の受精卵の画像を撮影し、記憶する。各培養容器１０内には複数の受精卵が載置されており、撮影装置５０は受精卵を識別するための識別情報、例えば、受精卵が収容されているウェルの識別情報などと対応付けて撮影画像を記憶装置５５に送信する。ウェルは、本発明の「凹部」の一例である。具体的には、撮影画像５０は、予め培養容器１０内の各ウェル位置に対応したＸＹ座標を記録しており、そのＸＹ座標情報から、各ウェルを識別してもよいし、撮影開始時などに、各ウェル位置に対応付けるＸＹ座標を微調整して、個別にウェル位置として座標登録をしてもよい。
【００２３】
撮影装置５０は、照明装置５１と、カメラ５２と、制御部５３と、通信部５４とを備える。照明装置５１は、撮影のために培養容器１０内の受精卵を上方から照明する。照明装置５１は、点光源であっても面光源であっても、複数の点光源、面光源であってもよい。照明装置５１による照明は、制御部５３により制御される。
【００２４】
カメラ５２は、培養容器１０の下方に移動可能に配置され、照明装置５１により照明された状態の受精卵を撮影する。カメラ５２は図示しないアクチュエータなどにより移動する。アクチュエータによるカメラ５２の移動、及び、カメラ５２による撮影は、制御部５３により制御される。カメラ５２は、同じ培養容器１０内の複数の受精卵を、異なる時刻で撮影する。また、インキュベータ９内に複数の培養容器１０が載置されている場合、カメラ５２は、制御部５３によるアクチュエータの制御に基づき、それぞれの培養容器１０内の各受精卵を撮影可能な位置に移動して撮影を行う。カメラ５２により撮影された受精卵は、本発明の「対象物」の一例である。なお、同じ培養容器１０内の複数の受精卵を撮影する場合、カメラ５２が移動する代わりに培養容器１０が移動する構造でもよい。
【００２５】
制御部５３は、照明装置５１による照明、カメラ５２の移動及びカメラ５２による撮影を制御する。また、制御部５３は、カメラ５２から撮影画像を取得した場合、通信部５４を制御することで、撮影画像を記憶装置５５に送信する。
【００２６】
記憶装置５５は、図示しない制御部、記憶部、通信部などを有し、各撮影装置５０から送信される撮影画像を受信し、受信した撮影画像を記憶する。この場合、例えば、記憶装置５５は、撮影装置５０に設けられたインキュベータ９ごとにフォルダを設け、撮影画像を対応するフォルダに対応付けて記憶する。なお、記憶装置５５は、上述のフォルダに対してチャンバごとのサブフォルダをさらに設け、撮影画像をチャンバごとに分類して記憶してもよい。また、記憶装置５５は、画像表示装置６０から撮影画像の取得要求を受信した場合に、当該取得要求により指定された撮影画像を画像表示装置６０へ送信する。
【００２７】
画像表示装置６０は、ＰＣ（Ｐｅｒｓｏｎａｌ  Ｃｏｍｐｕｔｅｒ）などにより構成され、胚培養士などのユーザが指定した受精卵の撮影画像を所定の表示画面（「画像閲覧画面」とも呼ぶ。）に表示する。画像表示装置６０は、主に、通信部６１と、入力部６２と、記憶部６３と、表示部６４と、制御部６５とを備える。
【００２８】
通信部６１は、制御部６５の制御に基づき、記憶装置５５から撮影画像を受信する。入力部６２は、キーボード、マウス、回転操作が可能なホイールデバイス、タッチパネル、音声入力装置などであり、表示すべき撮影画像を指定する入力信号などを生成して制御部６５へ供給する。記憶部６３は、制御部６５が実行するプログラム及びプログラムの実行に必要な情報を記憶する。例えば、記憶部６３は、画像閲覧画面の表示処理に必要なプログラムを記憶する。表示部６４は、制御部６５の制御に基づき、画像閲覧画面を表示する。制御部６５は、画像表示装置６０の全体の制御を行う。制御部６５は、本発明の「取得部」、「表示制御部」の一例である。また、制御部６５は、本発明のプログラムを実行する「コンピュータ」の一例である。
【００２９】
［撮影画像］
図２は、培養容器１０及び受精卵の撮影画像の例を示す。培養容器１０は円形の容器であり、中央部に収容部１１が形成されている。収容部１１内には、複数（図２の例では５×５＝２５個）のウェル１２が形成されている。ウェル１２は受精卵を収容するための窪みであり、１つのウェル１２に１つの受精卵が収容される。図２（Ａ）に示すように、収容部１１は培養液１３で満たされている。
【００３０】
図２（Ｂ）には、１つのウェル１２の部分の撮影画像２０が示されている。ウェル１２内に受精卵が収容されている場合、撮影画像２０は、ウェル１２と、ウェル１２内にある受精卵３０とを含む。撮影装置５０は、同一の受精卵（即ち、同一のウェル１２）についての撮影画像を所定時間間隔で複数生成し、記憶する。なお、撮影装置５０は、ウェル１２毎に画像を撮影するものとする。
【００３１】
図３は、受精卵の撮影方法を説明する図である。図３（Ａ）は、１つの培養容器１０内の収容部１１を上方から見た図である。収容部１１には、横方向（Ｘ方向）と縦方向（Ｙ方向）に５個ずつ、合計２５個のウェル１２が形成されている。以下、Ｘ方向の位置を「１」〜「５」で示し、Ｙ方向の位置を「Ａ」〜「Ｅ」で示すことにすると、図３（Ａ）の左上のウェル１２は、位置「Ａ１」のウェル（以下、「ウェルＡ１」とも記す。）となる。図３（Ａ）の例では、ウェルＡ１〜Ｃ３までの１３個のウェル１２に受精卵３０が収容されている。なお、培養容器１０に形成されるウェル１２の配置は、図３（Ａ）に示す配置に限らず、異なる数のウェル１２が培養容器１０に所定の配置により形成されていてもよい。
【００３２】
受精卵の撮影時には、例えばチャンバごとに設けられた照明装置５１が予め決められた固定位置に配置され、カメラ５２が移動して各ウェル１２内の受精卵を撮影する。例えば、カメラ５２は、まずウェルＡ１を撮影し、次にＸ方向に移動してウェルＡ２を撮影し、さらにＸ方向に移動してウェルＡ３を撮影し、という具合に各ウェル１２を撮影する。Ｘ方向に移動してウェルＡ１〜Ａ５の撮影が終わると、カメラ５２はＹ方向に移動して、ウェルＢ１〜Ｂ５の撮影を行う。こうして、カメラ５２はＸ方向及びＹ方向に移動しつつ、受精卵が収容されている全てのウェル１２の撮影を行う。そして、カメラ５２は、上述した移動を繰り返すことで、各ウェル１２内の受精卵を所定時間間隔により繰り返し撮影する。
【００３３】
ここで、カメラ５２は、所定時間後に再び同一のウェル１２を撮影する場合、撮影位置が前回と僅かにずれる場合があり、これにより、撮影画像を時系列により動画表示する際に、受精卵及びウェルの表示位置がぶれる原因となる。本実施形態では、画像表示装置６０は、このようなカメラ５２の位置再現性を考慮し、撮影画像の動画像を表示する際に後述するスタビライズ処理を行う。
【００３４】
撮影装置５０はカメラ５２を培養容器１０の上下方向（Ｚ方向）にも移動することができる。撮影装置５０は、カメラ５２をＺ方向に移動することにより、受精卵に対するカメラ５２の焦点位置を調整し、１つのウェル１２内の受精卵を異なる焦点位置で撮影することができる。図３（Ｂ）は、受精卵に対するカメラ５２の焦点位置の例を示す。図３（Ｂ）において、位置「Ｍ」は受精卵の略中心を通る面内のカメラ５２の焦点位置を示し、撮影画像としてはＺ方向の位置Ｍで受精卵をスライスした画像が得られる。位置「Ｈ」は受精卵の上部よりを通る面内のカメラ５２の焦点位置を示し、撮影画像としてはＺ方向の位置Ｈで受精卵をスライスした画像が得られる。位置「Ｌ」は受精卵の下部よりを通る面内のカメラ５２の焦点位置を示し、撮影画像としてはＺ方向の位置Ｌで受精卵をスライスした画像が得られる。この例では、撮影装置５０は、各ウェル１２内の受精卵を「Ｈ」、「Ｍ」、「Ｌ」の３つの焦点位置（スライス面）で撮影した画像を生成する。
【００３５】
なお、好適には、各ウェル１２の底面は、図３（Ｂ）に示す平面形状に代えて、図３（Ｃ）に示すように、底面の中心に向かって窪むように傾斜している形状を有するとよい。これにより、受精卵の動きを抑制することができ、後述する画像閲覧画面での動画の観察性や画像閲覧画面において表示する撮影画像から受精卵が外れてしまうフレームアウトの現象を好適に抑制することができる。
【００３６】
撮影装置５０の制御部５３は、カメラ５２による撮影画像に対して、上記のようにＸ方向、Ｙ方向、Ｚ方向の位置情報に基づくファイル名を付加して記憶部５４に記憶する。例えば、ある容器ＩＤを有する培養容器１０について、ウェルＡ１の受精卵を、Ｚ方向のＭの焦点位置で時刻ｔ１に撮影した場合、制御部５３はその画像に、
「容器ＩＤ−ウェル位置−焦点位置−撮影時刻」、
というファイル名、例えば、「容器ＩＤ−Ａ１−Ｍ−ｔ１」などのファイル名を付与して記憶部５４に記憶する。これにより、記憶部５４に記憶された多数の撮影画像をファイル名に基づいて識別することができる。
【００３７】
同様に、制御部５３は、上述のファイル名に、撮影対象となった培養容器１０上でのウェル１２の配置に関する識別情報をさらに付与して記憶部５４に記憶してもよい。例えば、制御部５３は、ウェル１２が２５個配置されている培養容器１０の受精卵を撮影した撮影画像のファイル名に、当該培養容器１０内のウェル１２の配列の識別情報（例えば「２５」の文字）を、容器ＩＤ等と同様に付加するとよい。ウェル１２の配列の識別情報は、後述する画像閲覧画面の表示処理において好適に用いられる。同様に、制御部５３は、撮影対象となった培養容器１０が載置されたチャンバを特定する情報を、撮影画像のファイル名に付与して記憶部５４に記憶してもよい。チャンバ位置は、カメラ５２のＸＹ座標位置で判別することができるため、制御部５３は、例えば、カメラ５２のＸＹ座標位置から特定されるチャンバの番号を撮影画像のファイル名に付与してもよい。
【００３８】
画像表示装置６０は、記憶装置５５とデータ通信を行い、上述の規則に基づき決定されたファイル名等を参照することで、後述する画像閲覧画面の表示に必要な撮影画像を取得し、画像閲覧画面の表示を行う。そして、画像表示装置６０のユーザである胚培養士は、画像閲覧画面に表示させた受精卵の撮影画像に基づき、形態観察及び品質評価などを行う。そして、胚培養士は、上述の品質評価の結果に基づき、受精卵の処置（移植、凍結、培養中止など）を決定し、当該受精卵に対して決定した処理を実行する。
【００３９】
［画像閲覧画面の表示］
図４は、画像表示装置６０が表示する画像閲覧画面の表示例である。図４に示すように、画像表示装置６０は、画像閲覧画面上に、培養容器指定欄７０と、患者情報表示欄７１と、容器情報表示欄７２と、一覧画像表示欄７３と、個別画像表示欄７４と、操作説明表示欄７５とを設けている。
【００４０】
培養容器指定欄７０は、撮影画像を表示させる対象となる培養容器１０が収容されたインキュベータを指定するための複数のインキュベータ指定ボタン７８と、撮影画像を表示させる対象となる培養容器１０が収容されたチャンバを指定するための複数のチャンバ指定ボタン７９とを含む。
【００４１】
この例では、画像表示装置６０は、培養容器指定欄７０上に、Ｎｏ．１からＮｏ．４までの識別番号が付された４つのインキュベータ指定ボタン７８を表示すると共に、１番から９番までの識別番号が付された９つのチャンバ指定ボタン７９を表示している。そして、画像表示装置６０は、ユーザ入力により選択されたＮｏ．１のインキュベータ指定ボタン７８に対し、赤枠ｆ１を付して強調表示すると共に、ユーザ入力により選択された１番のチャンバ指定ボタン７８に対し、赤枠ｆ２を付して強調表示している。この場合、画像表示装置６０は、後述する一覧画像表示欄７３及び個別画像表示欄７４に、Ｎｏ．１に対応するインキュベータの１番のチャンバで保管された培養容器１０内の受精卵の撮影画像を表示する。
【００４２】
また、画像表示装置６０は、各インキュベータ指定ボタン７８を、対応するインキュベータの状態によって色分け表示している。ここでは、画像表示装置６０は、カメラ５２により培養容器１０の撮影中であるインキュベータに対応するＮｏ．１のインキュベータ指定ボタン７８を緑色に着色して表示し、撮影が終了して培養容器１０が既に取り出された状態のインキュベータに対応するＮｏ．２のインキュベータ指定ボタン７８を青色に着色して表示している。なお、画像表示装置６０は、これらの緑と青の色分けを、例えば、各インキュベータに対応するフォルダ内の最も新しい撮影画像の撮影日時と現在日時とを比較することで判定してもよく、撮影終了の有無を示すフラグの存否等に基づき判定してもよい。また、画像表示装置６０は、存在を確認できないインキュベータに対応するＮｏ．３及びＮｏ．４のインキュベータ指定ボタン７８を、背景色と同一であって選択できない非アクティブ状態にして表示する。例えば、画像表示装置６０は、インキュベータ指定ボタン７８に対応するインキュベータのフォルダが記憶装置５５において確認できない場合、当該インキュベータの存在を確認できないと判定する。
【００４３】
また、画像表示装置６０は、各チャンバ指定ボタン７９に、対応するチャンバの情報を表示させている。ここでは、画像表示装置６０は、チャンバ指定ボタン７９に、対応するチャンバの番号に加えて、当該チャンバに収容された培養容器１０に対応する患者情報（ここでは、氏名及び患者ＩＤ）を表示させている。なお、チャンバ指定ボタン７９に表示する患者情報は、氏名、患者ＩＤの他、治療開始日などの患者のステータスを含んでもよい。この場合、画像表示装置６０は、例えば、赤枠ｆ１が付されたインキュベータ指定ボタン７８に対応するインキュベータの番号及び各チャンバ指定ボタン７９に対応するチャンバの番号に基づき、記憶装置５５又は記憶部６３等に記憶された患者情報のデータベースを参照することで、各チャンバ指定ボタン７９の表示に必要な患者情報を取得する。
【００４４】
患者情報表示欄７１には、画像表示装置６０は、培養容器指定欄７０において指定されたチャンバに収容された培養容器１０に対応する患者の氏名及び患者ＩＤ（ＰＩＤ）を表示する。容器情報表示欄７２には、画像表示装置６０は、培養容器指定欄７０において指定されたチャンバに収容された培養容器１０の容器ＩＤを表示する。一般的に、同一の培養容器１０には同一の患者の受精卵が収容される。なお、容器ＩＤは、培養容器１０に貼り付けたバーコードシールやＩＣタグにより付与することができる。
【００４５】
一覧画像表示欄７３には、画像表示装置６０は、培養容器指定欄７０において指定されたチャンバに収容された培養容器１０の各ウェル１２の撮影画像を各ウェル１２の配置に従い並べて表示した画像（「一覧画像Ｉｍａｇｅ  Ｌｉｓｔ（以下「ＩＬ」）」とも呼ぶ。）を表示する。一覧画像ＩＬは、同一の培養容器１０の各ウェル１２内の受精卵の撮影画像から構成され、これらの撮影画像の配置は、培養容器１０内での対応するウェル１２の配置と等しい。ここで、画像表示装置６０は、例えば、表示対象となる培養容器１０の各ウェル１２に対応する時系列の撮影画像群のうち、記憶装置５５に記憶されている最新の（即ち最も撮影時刻が遅い）撮影画像をウェル１２ごとに記憶装置５５から取得することで、一覧画像ＩＬを生成する。この場合、画像表示装置６０は、一定時間間隔により、一覧画像ＩＬを更新するとよい。他の例では、画像表示装置６０は、表示対象となる培養容器１０の各ウェル１２に対応する時系列の撮影画像群のうち、記憶装置５５に記憶されている最も撮影時刻が早い初期の撮影画像をウェル１２ごとに記憶装置５５から取得することで、一覧画像ＩＬを生成してもよい。
【００４６】
また、画像表示装置６０は、各撮影画像に対応するウェル１２のＸ方向の位置（１〜５）及びＹ方向の位置（Ａ〜Ｅ）を、一覧画像ＩＬにおいて明示している。これにより、観察者である胚培養士は、一覧画像ＩＬ内の各撮影画像に対応するウェル１２の識別番号を容易に把握することができる。
【００４７】
さらに、一覧画像ＩＬ内の各撮影画像は、それぞれ選択可能であり、画像表示装置６０は、ユーザ入力により選択された一覧画像ＩＬの撮影画像を、個別画像表示欄７４において個別に表示する。なお、上述のユーザ入力による選択は、マウスによるクリック操作、マウスオーバー、表示部６４にタッチパネルが積層されている場合のタッチ操作などの任意の操作に基づく選択であってもよい。図４の例では、ウェルＡ１に対応する一覧画像ＩＬ内の撮影画像がユーザ入力により選択されていることから、画像表示装置６０は、当該撮影画像に対して赤枠ｆ３を付して強調表示する。この場合、画像表示装置６０は、赤枠ｆ３により強調表示されたウェルＡ１の撮影画像を個別画像表示欄７４上に表示させる。本実施形態では、画像表示装置６０は、個別画像表示欄７４上に、対象となるウェル１２の受精卵の撮影画像を撮影時刻に従い時系列に切り替えた動画を表示する。ここで、個別画像表示欄７４に表示される撮影画像の表示サイズは、胚培養士が細胞の品質評価を実行できるように、一覧画像ＩＬに含まれる撮影画像の表示サイズよりも十分に大きい。
【００４８】
なお、画像表示装置６０は、記憶装置５５から取得した撮影画像を個別画像表示欄７４に表示する場合、記憶装置５５から取得した撮影画像に対して切出し処理（即ちトリミング）を行った画像を、個別画像表示欄７４に表示させる。これにより、画像表示装置６０は、品質評価等にとって重要な受精卵を好適に拡大して表示する。この切出し処理による切出し範囲は、後述するスタビライズ処理指定ボタン８７のオン又はオフの状態によって異なる。また、画像表示装置６０は、一覧画像表示欄７３に表示させる撮影画像についても、同様に切出し処理を行ったものを表示させてもよい。
【００４９】
操作説明表示欄７５には、画像表示装置６０は、個別画像表示欄７４上で再生する動画に対するキーボード又は／及びマウスによる操作方法の概要を表示する。
【００５０】
また、画像表示装置６０は、上述した各欄７０〜７５以外の画像閲覧画面の領域に、個別画像表示欄７４上で表示させる受精卵の撮影画像の撮影時刻を示す時間制御バー８０と、受精卵をスライスする位置（Ｚ方向の位置）を指定するスライス制御バー８１と、表示倍率制御バー８２と、エクスポートボタン８３と、輝度制御バー８４と、コントラスト制御バー８５と、再生制御ボタン８６と、スタビライズ処理指定ボタン８７とを設けている。時間制御バー８０、スライス制御バー８１、表示倍率制御バー８２、輝度制御バー８４及びコントラスト制御バー８５の各カーソル位置は、マウス操作などのユーザ入力により調整自在となっている。
【００５１】
画像表示装置６０は、時間制御バー８０のカーソル位置を、個別画像表示欄７４での動画の再生時において、表示対象となる撮影時刻の遷移に従い右へ移動させる。また、画像表示装置６０は、時間制御バー８０のカーソル位置を変更するユーザ入力を受け付けた場合、変更後のカーソル位置に対応する撮影時刻を基準とした撮影画像の動画又は静止画像を個別画像表示欄７４に表示する。スライス制御バー８１は、カーソルの移動により、個別画像表示欄７４上で表示させる受精卵の撮影画像のＺ位置を段階的に指定可能となっている。例えば図３（Ｂ）の例に基づき位置「Ｈ」、「Ｍ」、「Ｌ」の各Ｚ位置で撮影が行われた受精卵の撮影画像を対象とする場合、スライス制御バー８１において、位置「Ｈ」、「Ｍ」、「Ｌ」のいずれかを指定することが可能となっている。画像表示装置６０は、スライス制御バー８１により指定されたＺ位置で撮影された受精卵の撮影画像を、一覧画像表示欄７３及び個別画像表示欄７４において表示する。ユーザによるスライス制御バー８１を用いた入力は、本発明における「外部入力」の一例である。
【００５２】
表示倍率制御バー８２、輝度制御バー８４、コントラスト制御バー８５は、それぞれ、個別画像表示欄７４上に表示させる撮影画像の倍率、輝度、コントラストをカーソル移動により指定可能となっている。画像表示装置６０は、表示倍率制御バー８２、輝度制御バー８４、コントラスト制御バー８５のカーソル位置に対応する表示倍率、輝度、コントラストになるように、一覧画像表示欄７３及び個別画像表示欄７４に表示される撮影画像を調整する。また、エクスポートボタン８３は、個別画像表示欄７４において表示対象となっている撮影画像をエクスポートする際の出力形式（動画形式又は静止画像形式）を指定するボタンである。画像表示装置６０は、ユーザ入力によりいずれかのエクスポートボタン８３が選択された場合、例えば、選択されたエクスポートボタン８３に対応する出力形式により撮影画像を記憶部６３の所定のフォルダ内に出力する。再生制御ボタン８６は、個別画像表示欄７４上で表示させる受精卵の撮影画像を撮影開始時刻の撮影画像へ切り替えるボタン、動画の再生を開始するボタン、個別画像表示欄７４上で表示させる受精卵の撮影画像を撮影終了時刻の撮影画像へ切り替えるボタンから構成されている。画像表示装置６０は、ユーザ入力によりいずれかの再生制御ボタン８６が選択された場合、選択された再生制御ボタン８６に対応する機能を実行するように、個別画像表示欄７４に表示する撮影画像の表示制御を行う。
【００５３】
スタビライズ処理指定ボタン８７は、個別画像表示欄７４に動画として表示させる時系列の撮影画像に対するスタビライズ処理のオン又はオフを指定するボタンである。画像表示装置６０は、スタビライズ処理指定ボタン８７がオフとなった状態では、例えば、個別画像表示欄７４に表示させる時系列の撮影画像の各々に対し、切出す前の各撮影画像の中心と切出した後の画像の中心とが一致するように、撮影画像の中心に対して上下及び左右においてそれぞれ均等な幅により切出した画像を、個別画像表示欄７４に表示させる。一方、画像表示装置６０は、スタビライズ処理指定ボタン８７がオンとなった状態では、個別画像表示欄７４に動画として表示させる時系列の撮影画像の各々に対し、撮影画像中のウェル又は受精卵の位置が撮影画像間でぶれないように、切出し範囲（即ち、元の撮影画像から切出して表示する範囲）の位置を調整する。これにより、画像表示装置６０は、受精卵のフレームアウト、及び、動画として表示する各撮影画像間でのウェル１２又は受精卵の位置ぶれが生じるのを抑制し、胚培養士による品質評価時などでの動画の観察性を好適に向上させる。
【００５４】
また、図４の例では、スタビライズ処理により受精卵が略中心に表示されており、その結果、個別画像表示欄７４に表示された画像の四隅にウェル及び受精卵と重ならないスペースが形成されている。そして、画像表示装置６０は、スタビライズ処理により形成される上述のスペースに、表示された撮影画像及び当該撮影画像に表示された受精卵に関連する各種情報を表示させている。具体的には、画像表示装置６０は、個別画像表示欄７４に表示された撮影画像の左上のスペースに、表示対象の受精卵に対応する患者の名前、ＰＩＤ、及び当該受精卵が収容されたウェル１２の識別番号を表示している。また、画像表示装置６０は、培養容器指定欄７０に表示された撮影画像の左下のスペースに、当該撮影画像の表示倍率を表示している。また、画像表示装置６０は、個別画像表示欄７４に表示された撮影画像の右上のスペースに、当該撮影画像に表示された前核の数（ここでは２個）の情報を表示している。
【００５５】
さらに、画像表示装置６０は、個別画像表示欄７４に表示された撮影画像の右下のスペースに、撮影日時の情報と、Ｚ位置インジケータ９０とを表示させている。ここでは、画像表示装置６０は、撮影日時の情報として、撮影年月日（２０１７年９月８日）及び日時（５時３０分）と共に、撮影を開始してからの経過時間（ここでは０秒）及び表示中の撮影画像に対する通し番号であるフレーム番号（第１フレーム）などを表示している。また、画像表示装置６０は、Ｚ位置インジケータ９０として、各Ｚ位置（ここでは７段階の各Ｚ位置）にそれぞれ対応するバーを並べ、かつ、スライス制御バー８１において指定されたＺ位置に対応するバーを強調表示している。
【００５６】
このように、画像表示装置６０は、個別画像表示欄７４に表示する撮影画像の左下及び右下スペースに当該撮影画像に関する情報を重ねて表示すると共に、左上及び右上スペースに表示対象の受精卵に関する情報を重ねて表示している。これにより、例えば、エクスポートボタン８３などで撮影画像又はその動画像を記憶部６３等に出力した後、ユーザがその画像を閲覧した場合に当該画像に対してなされた画像処理の内容や当該画像により表示する受精卵を好適に識別することができ、画像の管理が簡易となる。
【００５７】
［スタビライズ処理］
次に、スタビライズ処理指定ボタン８７がオンの場合に実行するスタビライズ処理について説明する。
【００５８】
図５（Ａ）は、スタビライズ処理の概要を示す図である。図５（Ａ）において、「基準画像」は、スタビライズ処理において基準となる画像を示し、「位置合わせ対象画像」は、個別画像表示欄７４において表示対象となる受精卵を時系列により撮影した各撮影画像を示す。ここで、基準画像は、受精卵のフレームアウト等が生じていない受精卵及びウェルの画像であり、位置合わせ対象画像と縦横が等しい画素数を有する。基準画像は、位置合わせ対象画像から所定の規則により選択された１つの画像（例えば対象の受精卵に対し最初に撮影された第１フレームの撮影画像）であってもよく、受精卵又は／及びウェルの重心が画像の中心と重なるように加工又は別途撮影された画像であってもよい。後者の場合、画像表示装置６０は、基準画像を記憶部６３に予め記憶しておく。また、基準画像は、受精卵ごとに異なるものであってもよく、全ての受精卵に共通のものであってもよい。
【００５９】
画像表示装置６０は、個別画像表示欄７４において表示対象となる受精卵に対し、位置合わせ対象画像と、基準画像との撮影範囲のずれ量を、フレームごとに（即ち異なる撮影時刻の撮影画像ごとに）算出する。以下では、基準画像及び位置合わせ画像の画素位置の２次元座標を「（ｘ、ｙ）」、基準画像及び任意の位置合わせ対象画像の輝度をそれぞれ「Ｐ（ｘ、ｙ）」、「Ｑ（ｘ、ｙ）」、基準画像と位置合わせ対象画像との横軸における撮影範囲のずれ量を「ｄｘ」、縦軸における撮影範囲のずれ量を「ｄｙ」と表記する。この場合、画像表示装置６０は、例えば、各位置合わせ対象画像について、基準画像と位置合わせ対象画像との画素ごとの輝度差の合計値が最小となるずれ量ｄｘ、ｄｙを算出する。即ち、画像表示装置６０は、以下の式（１）に基づき、各位置合わせ対象画像に対し、ずれ量ｄｘ、ｄｙを算出する。
【００６０】
ｍｉｎΣ（Ｐ（ｘ，ｙ）−Ｑ（ｘ−ｄｘ，ｙ−ｄｙ））  式（１）
そして、画像表示装置６０は、各位置合わせ対象画像に対するずれ量ｄｘ、ｄｙに基づき、各位置合わせ対象画像に対する切出し範囲の位置を決定する。
【００６１】
図５（Ｂ）は、基準画像に対し、ずれ量ｄｘ、ｄｙが共に０である場合の切出し範囲を破線枠９１により明示した図である。ここでは、基準画像の中央付近に受精卵及びウェルが表示されており、破線枠９１に示される切出し範囲は、切出し前の画像と左右及び上下における中心が一致している。そして、ずれ量ｄｘ、ｄｙが共に０である場合の切出し範囲は、基準画像の受精卵及びウェルがフレームアウトしないサイズ及び位置に設定される。なお、破線枠９１により示される切出し範囲のサイズは、本発明における「所定サイズ」の一例である。
【００６２】
図５（Ｃ）は、ずれ量ｄｘ、ｄｙがそれぞれ０以外の「ｄｘ１」、「ｄｙ１」である位置合わせ画像に対する切出し範囲を一点鎖線枠９２により示した図である。また、図５（Ｃ）は、説明便宜上、図５（Ｂ）に示した破線枠９１の切出し範囲についても明示している。
【００６３】
この場合、画像表示装置６０は、対象となる位置合わせ対象画像の切出し範囲（一点鎖線枠９２参照）を、ずれ量ｄｘ、ｄｙが共に０である場合の切出し範囲（破線枠９１参照）と同一サイズ（即ち縦横をそれぞれ同じ幅）に設定し、かつ、算出したずれ量ｄｘ１、ｄｙ１に応じた位置に設定する。具体的には、図５（Ｃ）に示すように、画像表示装置６０は、ずれ量ｄｘ、ｄｙが共に０である場合の切出し範囲（破線枠９１参照）を横方向にずれ量ｄｘ１、縦方向にずれ量ｄｙ１だけずらした位置に、対象の位置合わせ画像に対する切出し範囲（一点鎖線枠９２参照）を設定する。ここで、対象の位置合わせ画像に対して設定された切出し範囲を示す一点鎖線枠９２内には、受精卵及びウェルが表示されている。従って、この場合、画像表示装置６０は、対象の位置合わせ画像において受精卵及びウェルの表示位置のずれが生じている場合であっても、受精卵及びウェルがフレームアウトしない切出し範囲を適切に設定している。
【００６４】
このように、画像表示装置６０は、各位置合わせ対象画像に対して基準画像を基準としたずれ量ｄｘ、ｄｙを算出することで切出し範囲を設定し、設定した切出し範囲に基づき各位置合わせ対象画像を切り出した撮影画像を、時系列により個別画像表示欄７４上に表示させる。これにより、受精卵及びウェルの表示位置のぶれが好適に低減された時系列の受精卵の撮影画像を個別画像表示欄７４に表示させることができる。
【００６５】
また、本実施形態では、画像表示装置６０は、上述したように、スライス制御バー８１によりユーザが指定した任意のＺ位置に対応する撮影画像を個別画像表示欄７４に表示させることから、各Ｚ位置に対応する撮影画像に対してスタビライズ処理を行う必要がある。以下では、Ｚ位置を考慮したスタビライズ処理の具体例（第１の例〜第４の例）について説明する。なお、以下の説明では、便宜上、一例として、Ｚ位置は、図３（Ｂ）の例と同様、「Ｈ」、「Ｍ」、「Ｌ」の３段階存在するものとする。
【００６６】
図６（Ａ）は、Ｚ位置を考慮したスタビライズ処理の第１の例の概要を示す図である。第１の例では、画像表示装置６０は、位置合わせ対象画像である全てのＺ位置に対応する撮影画像に対して１つの基準画像を設定し、各位置合わせ対象画像に対してずれ量ｄｘ、ｄｙを算出している。この場合、画像表示装置６０は、図５（Ｂ）、（Ｃ）の説明と同様、算出したずれ量ｄｘ、ｄｙに基づき、対応する位置合わせ対象画像の切出し範囲を設定する。これにより、画像表示装置６０は、全てのＺ位置に対応する撮影画像に対するスタビライズ処理を好適に実行することができる。
【００６７】
図６（Ｂ）は、Ｚ位置を考慮したスタビライズ処理の第２の例の概要を示す図である。第２の例では、画像表示装置６０は、Ｚ位置の違いによるずれ量ｄｘ、ｄｙの変化はないと見なし、あるＺ位置に対応する位置合わせ対象画像に対して算出したずれ量ｄｘ、ｄｙを、他のＺ位置に対応する位置合わせ対象画像に対しても適用する。
【００６８】
具体的には、画像表示装置６０は、全てのＺ位置に対応する位置合わせ対象画像に対して１つの基準画像を設定し、あるＺ位置（ここでは位置Ｍ）の各位置合わせ対象画像を対象として基準画像とのずれ量ｄｘ、ｄｙを算出し、位置Ｍの各位置合わせ対象画像の切出し範囲を設定する。さらに、画像表示装置６０は、位置Ｍ以外のＺ位置の位置合わせ対象画像に対して、位置Ｍの位置合わせ対象画像に対して算出したずれ量ｄｘ、ｄｙを用いて切出し範囲を設定する。例えば、画像表示装置６０は、位置Ｍの第Ｘフレーム（Ｘは任意の正の整数）に対してずれ量ｄｘ、ｄｙを算出した場合、他のＺ位置である位置Ｌ、Ｈの第Ｘフレームに対して上述のずれ量ｄｘ、ｄｙを適用してこれらのフレームの切出し範囲を設定する。これにより、第１の例と比較してスタビライズ処理の処理負荷を好適に低減させることができる。
【００６９】
また、カメラ５２の駆動機構の機械的な構造上、Ｚ位置によってずれ量ｄｘ、ｄｙが変化する場合、画像表示装置６０は、図６（Ｂ）に示す処理に加えて、Ｚ位置の違いに起因したずれ量をさらに算出し、切出し範囲を補正してもよい。例えば、画像表示装置６０は、図６（Ｂ）の場合、第Ｘフレームについて、位置Ｍと位置Ｈとのフレーム間のずれ量と、位置Ｍと位置Ｌとのフレーム間のずれ量とをそれぞれ算出する。そして、画像表示装置６０は、位置Ｈの各位置合わせ対象画像の切出し範囲の位置を、算出した位置Ｍと位置Ｈとのフレーム間のずれ量だけ補正する。同様に、画像表示装置６０は、位置Ｌの各位置合わせ対象画像の切出し範囲を、算出した位置Ｍと位置Ｌとのフレーム間のずれ量だけ補正する。これにより、カメラ５２の駆動機構の機械的な構造上、Ｚ位置によってずれ量ｄｘ、ｄｙが変化する場合であっても、全てのＺ位置に対する撮影画像のスタビライズ処理を高精度に実行することができる。
【００７０】
図７（Ａ）は、Ｚ位置を考慮したスタビライズ処理の第３の例の概要を示す図である。第３の例では、画像表示装置６０は、Ｚ位置ごとに基準画像を設定し、同一のＺ位置に対応する基準画像と位置合わせ対象画像とのずれ量ｄｘ、ｄｙを算出し、当該位置合わせ対象画像に対する切出し範囲を設定する。これにより、Ｚ位置の違いに起因したピントずれ等が生じた場合であっても、各Ｚ位置に対する撮影画像のスタビライズ処理を高精度に実行することができる。
【００７１】
図７（Ｂ）は、Ｚ位置を考慮したスタビライズ処理の第４の例の概要を示す図である。第４の例は、Ｚ位置ごとに基準画像を設定する点で第３の例と共通し、各Ｚ位置に共通したずれ量ｄｘ、ｄｙを算出する点で第３の例と異なる。ここで、Ｚ位置を表す変数を「ｚ」とし、位置ｚに対応する基準画像の輝度を「Ｐ（ｘ，ｙ、ｚ）」、位置ｚに対応する位置合わせ対象画像の輝度を「Ｑ（ｘ，ｙ、ｚ）」とすると、画像表示装置６０は、例えば、以下の式（２）に基づき、各Ｚ位置に対応する基準画像と位置合わせ対象画像との画素ごとの輝度差の合計値が最小となるずれ量ｄｘ、ｄｙを算出する。
【００７２】
ｍｉｎΣ（Ｐ（ｘ，ｙ、ｚ）−Ｑ（ｘ−ｄｘ，ｙ−ｄｙ、ｚ））  式（２）
このように、画像表示装置６０は、全てのＺ位置の位置合わせ対象画像に共通したずれ量ｄｘ、ｄｙをフレームごとに算出し、当該ずれ量ｄｘ、ｄｙに基づき対象となる位置合わせ対象画像の切出し範囲を設定する。これによっても、画像表示装置６０は、全てのＺ位置に対応する撮影画像に対するスタビライズ処理を好適に実行することができる。
【００７３】
［変形例］
次に、上記の画像表示システムの変形例について説明する。以下の変形例は、適宜組み合わせて実施することができる。
【００７４】
（変形例１）
上記の画像表示システムでは、培養容器１０に複数のウェル１２が形成され、受精卵は各ウェル１２に収容されているが、培養容器１０にウェルが形成されていることは上述したスタビライズ処理において必須ではない。
【００７５】
ウェルが形成されていない容器を使用する場合でも、画像表示装置６０は、スタビライズ処理において、例えば、受精卵の重心が画像の中心となる画像又は第１フレームの撮影画像を基準画像として用い、上述した式（１）等に基づき、画素ごとの輝度の差に基づき基準画像と位置合わせ対象画像との受精卵の位置に基づくずれ量ｄｘ、ｄｙを算出する。これにより、画像表示装置６０は、位置合わせ対象画像である各撮影画像の切出し範囲を好適に設定し、個別画像表示欄７４において受精卵のブレが少ない動画を好適に表示させることができる。
【００７６】
（変形例２）
上記の実施例では、１つのウェルに１つの受精卵が収容されているが、その代わりに、１つのウェルに複数（例えば２つ）の受精卵を収容してもよい。また、ウェルが形成されていない培養容器１０を使用する場合でも、複数の受精卵を１つのグループとして容器に収容してもよい。なお、１つのウェルに１つの受精卵を収容する方が、個別管理の観点ではより好ましい。
【００７７】
（変形例３）
図１に示される画像表示システム１００の構成は一例であり、本発明を適用可能な構成は、図１に示す構成に限られない。
【００７８】
例えば、画像表示装置６０は、記憶装置５５又は図示しないサーバ装置が生成した表示情報に基づき画像閲覧画面を表示してもよい。この場合、記憶装置５５又はサーバ装置は、実施形態で画像表示装置６０が行ったスタビライズ処理を含む画像閲覧画面の表示処理を実行することで、画像閲覧画面の表示情報を生成し、生成した表示情報を画像表示装置６０に送信する。そして、画像表示装置６０は、受信した表示情報に基づき、画像閲覧画面を表示する。また、画像表示装置６０は、画像閲覧画面上でのユーザ入力に対応する入力情報を、上述の記憶装置５５又はサーバ装置へ送信することで、当該入力情報が示す入力内容を反映した画像閲覧画面の表示情報を受信する。この態様によっても、画像表示装置６０は、画像閲覧画面を好適に表示することができる。なお、この態様では、上述の記憶装置５５又はサーバ装置は、本発明における「画像表示装置」として機能し、画像表示装置６０は、本発明における「表示装置」として機能する。また、記憶装置５５又はサーバ装置のＣＰＵなどは、本発明におけるプログラムを実行する「コンピュータ」として機能する。
【００７９】
他の例では、記憶装置５５に記憶される撮影画像は、撮影装置５０又は画像表示装置６０のいずれかの記憶部に記憶されていてもよい。この場合であっても、画像表示装置６０は、撮影装置５０又は記憶部６３から撮影画像を取得することで、好適に画像閲覧画面を表示することができる。
【００８０】
（変形例４）
上記の実施形態では、撮影装置５０は、撮影画像に対して患者ＩＤ、ウェル位置、カメラの焦点位置、撮影時刻などを示す属性情報をファイル名などに付加して記憶装置５５に送信しているが、その際に、ＣＲＣコード、チェックサムデータなどを付加してもよい。これにより、撮影後に撮影画像のデータが改変されたり、誤ってファイル名が変更されたりして撮影画像の取り違えなどが生じることを防止することが可能となる。
【００８１】
（変形例５）
同一の培養容器１０から生成される同一患者の受精卵画像グループを識別する方法として、画像の撮影時刻から判定してもよい。
【００８２】
一般に、ウェル１２間のカメラ５２の移動は短時間であるが、培養容器１０間のカメラ５２の移動は長時間を要する。言い換えると、培養容器Ｉ内のウェル１２を観察する際の移動距離は小さいため、撮影間隔が短いが、培養容器Ｉから培養容器ＩＩに移動するときには移動距離が長くなり、撮影間隔が長くなる。よって、画像表示装置６０は、撮影時刻の間隔が所定時間未満となる撮影画像のグループを、同一の培養容器１０から生成される同一患者の受精卵画像グループとみなすとよい。この態様によっても、画像表示装置６０は、同一の培養容器１０から生成される同一患者の受精卵画像グループを好適に識別することができる。
【符号の説明】
【００８３】
１０  培養容器
１２  ウェル
２０  撮影画像
３０  受精卵
５０  撮影装置
５１  照明
５２  カメラ
５３  制御部
５４  通信部
５５  記憶装置
６０  画像表示装置
【図１】
2019020619.tif 000003
【図２】
2019020619.tif 000004
【図３】
2019020619.tif 000005
【図４】
2019020619.tif 000006
【図５】
2019020619.tif 000007
【図６】
2019020619.tif 000008
【図７】
2019020619.tif 000009